【手続補正書】
【提出日】平成23年5月2日(2011.5.2)
【手続補正１】
【補正対象書類名】特許請求の範囲
【補正対象項目名】全文
【補正方法】変更
【補正の内容】
【特許請求の範囲】
【請求項１】
エチレンビニルアルコールコポリマーとイオノマー組成物とを含む組成物であって、
前記エチレンコポリマーが前記組成物の重量を基準にして６０〜９５％で存在し、
前記イオノマー組成物が前記組成物の重量を基準にして５〜４０％で存在し、かつ前記イオノマー組成物の重量を基準にして、α，β−不飽和Ｃ3〜Ｃ8カルボン酸の鎖内共重合単位５％〜１５％、少なくとも１種のコモノマーの鎖内共重合単位０．５％〜約１８％、アルキル（メタ）アクリレートを含む鎖内共重合単位０〜４０％およびエチレンの共重合単位である残部を有するコポリマーを含み、
前記コモノマーが少なくとも２個のカルボン酸基を有するＣ4〜Ｃ8不飽和酸、少なくとも２個のカルボン酸基を有するＣ4〜Ｃ8不飽和酸の環式無水物、少なくとも２個のカルボン酸基を有するＣ4〜Ｃ8不飽和酸のモノエステルまたはそれらの２種以上の組み合わせを含み、
前記コモノマーが前記コポリマーの４〜１６％の範囲内で存在し、
存在する組み合わせたカルボン酸官能基が、１種以上のアルカリ金属カチオン、遷移金属カチオンまたはアルカリ土類金属カチオンによって少なくとも部分的に中和されている、組成物。
【請求項２】
エチレンビニルアルコールコポリマー６５〜９５％とイオノマー組成物５〜３５％とを含む請求項１に記載の組成物であって、
前記イオノマーがエチレンとメタクリル酸とマレイン酸のＣ1〜Ｃ4アルキルモノエステルのコポリマーであり、４０〜６０％中和されており、
前記コモノマーが前記コポリマーの６〜８％の範囲内で存在し、前記コポリマーの６〜１０％の範囲内で存在するマレイン酸のＣ1〜Ｃ4アルキル半エステルの共重合単位を含み、
前記組成物が任意に、（１）１種以上のＥ／Ｘ／Ｙコポリマーであって、Ｅがエチレンの共重合単位を表し、ＸがＣ3〜Ｃ8α，β−エチレン系不飽和モノカルボン酸の共重合単位を表し、Ｙが、アルキル基が１〜８個の炭素原子を有するアルキルアクリレートまたはアルキルメタクリレートから選択されたコモノマーの共重合単位を表し、ＸがＥ／Ｘ／Ｙコポリマーの約２〜約３０％で存在し、ＹがＥ／Ｘ／Ｙコポリマーの０〜約４０％で存在し、１種以上のアルカリ金属カチオン、遷移金属カチオンまたはアルカリ土類金属カチオンによって少なくとも部分的に中和されている１種以上のＥ／Ｘ／Ｙコポリマー、もしくは（２）１種以上のポリアミド、コポリエーテルエステル、コポリエーテルアミド、ゴム弾性ポリオレフィン、スチレンジエンブロックコポリマー、熱可塑性ポリウレタンまたは無水マレイン酸グラフトポリマーを含む非イオノマー熱可塑性材料を更に含む、組成物。
【請求項３】
前記非イオノマー熱可塑性材料が、マレェート化ポリエチレン、マレェート化ポリプロピレン、マレェート化ポリエチレン／ポリプロピレンゴム、マレェート化スチレン−エチレン−ブテン−スチレントリブロックコポリマー、マレェート化ポリブタジエン、マレェート化エチレン／酢酸ビニル、マレェート化エチレン／アルキルアクリレート、またはそれらの２種以上の組み合わせを含む無水マレイン酸グラフトポリマーである請求項２に記載の組成物。
【請求項４】
請求項１、２または３で特徴付けられた組成物を含むか、または前記組成物から製造された、単層のフィルムまたはシート、多層のフィルムまたはシート、パウチ、バッグ、ボトル、トレー、タンクまたはチューブである物品であって、前記物品が前記フィルムまたはシートである場合、前記フィルムまたはシートが少なくとも１方向に配向され、任意に熱固定され、そして任意に熱成形される物品。
【請求項５】
請求項１、２または３に記載された組成物または請求項４で特徴付けられた物品を含む包装もしくは前記組成物または前記物品から製造された包装であって、肉を包装するための包装または任意に医療溶液を貯蔵し、投与するためのパウチである包装。
【手続補正２】
【補正対象書類名】明細書
【補正対象項目名】００９５
【補正方法】変更
【補正の内容】
【００９５】
表３
2010527388.tif 000001
次に、本発明の態様を示す。
1.  （１）エチレンビニルアルコールコポリマーと、
（２）（ａ）エチレンの鎖内共重合単位、（ｂ）α，β−不飽和Ｃ3〜Ｃ8カルボン酸の鎖内共重合単位、（ｃ）少なくとも１種のコモノマーの鎖内共重合単位、および任意成分である（ｄ）アルキルアクリレートまたはアルキルメタクリレートの鎖内共重合単位を有するコポリマーを含むアイオノマー組成物とを含み、存在する組み合わせたカルボン酸官能基が、１種以上のアルカリ金属カチオン、遷移金属カチオンまたはアルカリ土類金属カチオンによって少なくとも部分的に中和されている組成物。
2.  （１）前記組成物の全重量を基準にして約６０〜約９５重量％の前記エチレンビニルアルコールコポリマーと、
（２）
（ａ）エチレンの鎖内共重合単位、
（ｂ）α，β−不飽和Ｃ3〜Ｃ8カルボン酸の鎖内共重合単位約５重量％〜約１５重量％、
（ｃ）少なくとも２個のカルボン酸基を有するＣ4〜Ｃ8不飽和酸、少なくとも２個のカルボン酸基を有するＣ4〜Ｃ8不飽和酸の環式無水物、少なくとも２個のカルボン酸基を有するＣ4〜Ｃ8不飽和酸のモノエステルまたはそれらの２種以上の組み合わせを含む少なくとも１種のコモノマーの鎖内共重合単位約０．５重量％〜約１８重量％、および
（ｄ）アルキルが１〜１２個の炭素原子を有するアルキルアクリレートまたはアルキルメタクリレートを含む鎖内共重合単位０〜約４０重量％
を含む、前記組成物の全重量を基準にして約５〜約４０重量％の前記アイオノマー組成物と
を含み、（ａ）、（ｂ）、（ｃ）および（ｄ）の量が前記コポリマーの重量を基準としており、存在する組み合わせたカルボン酸官能基が、１種以上のアルカリ金属カチオン、遷移金属カチオンまたはアルカリ土類金属カチオンによって少なくとも部分的に中和されている、上記１に記載の組成物。
3.  前記エチレンビニルアルコールコポリマー約６５〜約９５重量％と前記アイオノマー組成物約５〜約３５重量％とを含み、成分（２）（ｃ）が前記コポリマーの約４〜約１６重量％の範囲内で存在し、前記コポリマーの約６〜約１０重量％の範囲内で存在するマレイン酸のＣ1〜Ｃ4アルキル半エステルの共重合単位を含む、上記１または２に記載の組成物。
4.  成分（２）がエチレンとメタクリル酸とマレイン酸のＣ1〜Ｃ4アルキルモノエステルのコポリマーであり、約４０〜約６０％中和され、成分（２）（ｃ）が前記コポリマーの約６〜約８重量％の範囲内で存在する、上記１、２または３に記載の組成物。
5.  １種以上のＥ／Ｘ／Ｙコポリマーであって、Ｅがエチレンの共重合単位を表し、ＸがＣ3〜Ｃ8α，β−エチレン系不飽和モノカルボン酸の共重合単位を表し、Ｙが、アルキル基が１〜８個の炭素原子を有するアルキルアクリレートまたはアルキルメタクリレートから選択されたコモノマーの共重合単位を表し、ＸがＥ／Ｘ／Ｙコポリマーの約２〜約３０重量％で存在し、ＹがＥ／Ｘ／Ｙコポリマーの約０〜約４０重量％で存在し、１種以上のアルカリ金属カチオン、遷移金属カチオンまたはアルカリ土類金属カチオンによって少なくとも部分的に中和されている１種以上のＥ／Ｘ／Ｙコポリマーもしくは
１種以上のポリアミド、コポリエーテルエステル、コポリエーテルアミド、ゴム弾性ポリオレフィン、スチレンジエンブロックコポリマー、熱可塑性ポリウレタンまたは無水マレイン酸グラフトポリマーを含む非アイオノマー熱可塑性材料
を更に含む、上記１、２、３または４に記載の組成物。
6.  前記非アイオノマー熱可塑性材料が、マレェート化ポリエチレン、マレェート化ポリプロピレン、マレェート化ポリエチレン／ポリプロピレンゴム、マレェート化スチレン−エチレン−ブテン−スチレントリブロックコポリマー、マレェート化ポリブタジエン、マレェート化エチレン／酢酸ビニル、マレェート化エチレン／アルキルアクリレート、またはそれらの２種以上の組み合わせを含む無水マレイン酸グラフトポリマーである上記５に記載の組成物。
7.  上記１、２、３、４、５または６に記載の組成物を含む物品または前記組成物から製造された物品であって、単層または多層のフィルムまたはシート、パウチまたはバッグ、ボトル、トレー、タンクまたはチューブである物品。
8.  前記物品が、少なくとも１方向に配向され、任意に熱固定されていてもよい単層フィルムまたは多層フィルムである上記７に記載の物品。
9.  前記物品が、熱成形された単層または多層のフィルムまたはシートである上記７に記載の物品。
10.  上記１、２、３、４、５または６に記載された組成物または上記７または８に記載された物品を含む包装もしくは前記組成物または前記物品から製造された包装であって、肉を包装するための包装または任意に医療溶液を貯蔵し、投与してもよいパウチである包装。